(57)【特許請求の範囲】
【請求項１】
汚濁水を汚濁水槽へ供給すると共に浄化済水を汚濁水槽から戻す給排水装置が設けられ、汚濁水槽下部では微細気泡発生器によって外部空気を微細気泡にして汚濁水中に発生させ、汚濁水槽上部を小径にする集泡部から汚濁水槽の上部水を微細気泡と共に排水し、給排水装置によって汚濁水槽から排水する量及び集泡部から排水する量の汚濁水を汚濁水槽へ供給することを特徴とする淡水生物飼育水浄化方法。
【請求項２】
汚濁水を蓄水可能な汚濁水槽と、
汚濁水槽上部に設けられ、汚濁水槽上部を小径にする集泡部と、
一端が集泡部上部に開口され、他端が汚濁水槽外に開口され、集泡部上部の汚濁水を排出する排出部と、
一端は汚濁水槽に蓄水された汚濁水中に位置すると共に他端は汚濁水槽の外部に位置するよう設置され、汚濁水に空気を送気して微細気泡を発生させる微細気泡発生器と、
汚濁水を汚濁水槽へ供給すると共に浄化済水を汚濁水槽から戻す給排水装置とからなり、
給排水装置が汚濁水槽から排水する量及び集泡部から排水する量の汚濁水を汚濁水槽へ供給し、微細気泡発生器から発生されて汚濁水槽上部に上昇した微細気泡と共に汚濁水槽上部の汚濁水を排出管から汚濁水槽外へ排出することを特徴とする淡水生物飼育水浄化装置。
【請求項３】
汚濁水を蓄水可能な汚濁水槽と、
汚濁水槽上部に設けられ、汚濁水槽上部を小径にする集泡部と、
一端が集泡部上部に開口され、他端が汚濁水槽外に開口され、集泡部上部の汚濁水を排出する排出部と、
汚濁水槽内に立設され、汚濁水槽を分割する仕切壁と、
一端は仕切壁によって分割された一方の汚濁水槽内で汚濁水中に位置すると共に他端は汚濁水槽の外部に位置するよう設置され、汚濁水に空気を送気して微細気泡を発生させる微細気泡発生器と、
仕切壁によって分割された微細気泡発生器側の汚濁水槽内に開口され、汚濁水が給水される給水口と、
仕切壁によって分割された他方の汚濁水槽内に開口され、汚濁水が排水される排水口と、
汚濁水を給水口から汚濁水槽へ供給すると共に浄化済水を排水口から排水する給排水装置とからなり、
給排水装置が汚濁水槽から戻す排水の量及び集泡部から排水する量の汚濁水を給水口から汚濁水槽へ供給し、微細気泡発生器から発生されて汚濁水槽上部に上昇した微細気泡と共に汚濁水槽上部の汚濁水を排出管から汚濁水槽外へ排出することを特徴とする淡水生物飼育水浄化装置。
【発明の詳細な説明】
【０００１】
【発明の属する技術分野】
この発明は、淡水生物を飼育するための淡水生物飼育水中に発生した汚濁物質等を取り除く淡水生物飼育水浄化方法及び淡水生物飼育水浄化装置に係り、詳細には、汚濁物質等が混入した淡水生物飼育水に空気を送り込んで微細気泡を発生させ、気泡に汚濁水中の汚濁物を付着させて浮上させ、付着した気泡と共に上部水を取り除くことで淡水生物飼育水を浄化する淡水生物飼育水浄化方法及び淡水生物飼育水浄化装置に関する。
【０００２】
【従来の技術】
汚濁水の浄化装置は、養殖漁業、活魚輸送、魚飼育などの分野に於ける水槽内の液体から汚濁物質を除去する除去装置であり、汚濁物質を含む汚濁水内に複数の気泡を発生させ、汚濁物質を気泡へ付着させて処理する装置である。
【０００３】
以下に、図６に基づき従来の汚濁水浄化装置を説明する。
１００は汚濁水浄化装置である。汚濁水浄化装置１００は、海水或は海水に相当する飼育水を浄化する装置であり、水槽１０１から汚濁物等が混入した汚濁水をポンプ１０４により汲み上げ、攪拌水槽１０３の下部から汚濁水が供給される。そして、供給された汚濁水は攪拌水槽１０３の上部からバルブ１０２により流量を調整されながら再び水槽１０１へ戻される。そして、供給される汚濁水が常に汚濁水槽１０３最上部まで供給されるようセンサー１０５によりバルブ１０２は制御されている。
【０００４】
一方、汚濁水浄化装置１００には、中空の円筒形であり円筒面の一端に複数の小孔が穿設され、円筒面から放線方向に攪拌翼が取り付けられ、他端に取り付けられたモータ１０６により回転される攪拌装置１０７が上部から攪拌水槽１０３内に取り付けられる。そして、攪拌水槽１０３内で攪拌装置１０７を回転させる。すると、攪拌水槽１０３内の攪拌装置１０７が回転するので、攪拌水槽１０３内の攪拌装置１０７先端に穿設された小孔部分が攪拌翼の回転により負圧となり、モータ１０６が取り付けられた端部と挿通する円筒の中空部内の空気を攪拌水槽１０３内に放出する。
放出された空気は気泡となり、攪拌水槽１０３内の汚濁水中を上方へ浮上して行く。その際、汚濁水中の汚濁物質は、気泡１０８に付着され、気泡１０８と共に汚濁水の最上部へ浮上する。
【０００５】
汚濁水槽１０３の最上部には、汚濁水の最上部に浮上した気泡を排出可能な排泡ダクト１０９が設けられ更に排泡ダクト１０９先端は下方に解放する排出口１１０を形成し、浮上した気泡１０８は順次発生するので気泡１０８が順次積層され、積層されるにつれ下部の気泡１０８に順次押され、排気ダクト１０９を経由して排出口１１０から排出される。
排出口１１０下部には廃棄タンク１１１が設けられ、排出された気泡１０８が廃棄タンク１１１内に蓄積され、順次気泡１０８が消滅することで気泡１０８を形成していた水膜及び汚濁物質が廃棄口１１２から廃棄されていた。
【０００６】
【発明が解決しようとする課題】
しかしながら、従来の汚濁水浄化装置１００は、発生した気泡が上昇して汚濁水上部に位置しても汚濁物質を付着したまま気泡として存在するのが比較的容易な海水では、上部に蓄積した気泡を除去することで汚濁水を浄化可能であるが、例えば、気泡の発生し難い淡水からなる汚濁水等の場合には、排泡ダクト１０９から汚濁物質の付着した気泡を排気できなかった。又、従来の汚濁水浄化装置では、気泡が大き過ぎて汚濁物質を付着すると直ぐに泡沫が消滅してしまう、或は、付着できずに汚濁物質を効率よく上方へ移動できず、汚濁物質の除去が困難であるという問題点を有した。
従来の泡沫を用いた汚濁水浄化装置は、海水を浄化する装置が一般的であり、淡水に用いられることはなかった。
【０００７】
そこでこの発明は、これら問題点に鑑み、淡水等気泡を発生し難い汚濁水から汚濁物質を除去可能とすることを課題とする。
【０００８】
【課題を解決するための手段】
そして、これら課題を解決するためにこの発明では、
【０００９】
汚濁水を汚濁水槽へ供給すると共に浄化済水を汚濁水槽から戻す給排水装置が設けられ、汚濁水槽下部では微細気泡発生器によって外部空気を微細気泡にして汚濁水中に発生させ、汚濁水槽上部を小径にする集泡部から汚濁水槽の上部水を微細気泡と共に排水し、給排水装置によって汚濁水槽から排水する量及び集泡部から排水する量の汚濁水を汚濁水槽へ供給することを特徴とする淡水生物飼育水浄化方法、
【００１０】
及び、
【００１１】
汚濁水を蓄水可能な汚濁水槽と、汚濁水槽上部に設けられ、汚濁水槽上部を小径にする集泡部と、一端が集泡部上部に開口され、他端が汚濁水槽外に開口され、集泡部上部の汚濁水を排出する排出部と、一端は汚濁水槽に蓄水された汚濁水中に位置すると共に他端は汚濁水槽の外部に位置するよう設置され、汚濁水に空気を送気して微細気泡を発生させる微細気泡発生器と、汚濁水を汚濁水槽へ供給すると共に浄化済水を汚濁水槽から戻す給排水装置とからなり、
給排水装置が汚濁水槽から排水する量及び集泡部から排水する量の汚濁水を汚濁水槽へ供給し、微細気泡発生器から発生されて汚濁水槽上部に上昇した微細気泡と共に汚濁水槽上部の汚濁水を排出管から汚濁水槽外へ排出することを特徴とする淡水生物飼育水浄化装置、
【００１２】
及び、
【００１３】
汚濁水を蓄水可能な汚濁水槽と、汚濁水槽上部に設けられ、汚濁水槽上部を小径にする集泡部と、一端が集泡部上部に開口され、他端が汚濁水槽外に開口され、集泡部上部の汚濁水を排出する排出部と、汚濁水槽内に立設され、汚濁水槽を分割する仕切壁と、一端は仕切壁によって分割された一方の汚濁水槽内で汚濁水中に位置すると共に他端は汚濁水槽の外部に位置するよう設置され、汚濁水に空気を送気して微細気泡を発生させる微細気泡発生器と、仕切壁によって分割された微細気泡発生器側の汚濁水槽内に開口され、汚濁水が給水される給水口と、仕切壁によって分割された他方の汚濁水槽内に開口され、汚濁水が排水される排水口と、汚濁水を給水口から汚濁水槽へ供給すると共に浄化済水を排水口から排水する給排水装置とからなり、
給排水装置が汚濁水槽から戻す排水の量及び集泡部から排水する量の汚濁水を給水口から汚濁水槽へ供給し、微細気泡発生器から発生されて汚濁水槽上部に上昇した微細気泡と共に汚濁水槽上部の汚濁水を排出管から汚濁水槽外へ排出することを特徴とする淡水生物飼育水浄化装置、
【００１４】
を提供することで上述の課題を解決する。又、この発明の作用は、以下の通りである。
【００１５】
即ち、汚濁水槽内には汚濁水が満たされており、汚濁水槽下部に設けられる微細気泡発生器が汚濁水内に微細気泡を発生する。すると、発生された微細気泡は、浮力によって上昇する。そして、微細気泡が上昇する過程で、汚濁水中の汚濁物質が微細気泡に付着して汚濁水上部へ集められ浮遊する。上昇した微細気泡は、汚濁水槽上部を漏斗状に小径にするよう設けられた集泡部によって汚濁水槽上部に形成される小径部に集合されることとなる。従って、汚濁水上部における汚濁物質の密度が濃くなる。
【００１６】
汚濁水槽上部に一端を開口する排出部からは、汚濁物質の密度の濃い汚濁水槽上部に集合された汚濁水を、汚濁水槽外へ排出する。
すると、汚濁物質の密度の濃い汚濁水が排出部から汚濁水槽外へ排出されることとなり、汚濁水槽内の汚濁水は浄化される。
汚濁水槽には仕切壁が立設されて仕切られ、微細気泡発生器が設置された一方の汚濁水槽内に設けた供給口から汚濁水を供給し、他方の汚濁水槽内に設けた排水口から浄化された汚濁水を排水する。
【００１７】
【発明の実施の形態】
以下に、この発明の第１の実施の形態の正面縦断面説明図である図１、攪拌装置の説明図である図２、他の排出部の説明図である図３、第２の実施の形態を表す図４、第３の実施の形態を表す図５に基づき、この発明の実施の形態を説明する。
【００１８】
以下に、第１の実施の形態を説明する。
１は、この発明に係る淡水生物飼育水浄化装置である。淡水生物飼育水浄化装置１（以下、淡水生物飼育水浄化装置１を単に浄化装置１という。）は、図１に表すように汚濁物質を含む汚濁水Ｗ中に微細気泡Ｂを発生させて浮上させ、浮上過程で微細気泡Ｂに汚濁物質を付着させ、浮上した微細気泡Ｂを除去することで汚濁水Ｗから汚濁物質を取り除く装置であり、汚濁水Ｗを蓄水する汚濁水槽２、汚濁水Ｗ中に気泡Ｂを発生させる微細気泡発生器３、汚濁水槽２へ汚濁水Ｗを給水すると共に排水する給排水装置４とからなる。
【００１９】
５は、汚濁水Ｗの水源である水槽である。水槽５は、浄化装置１へ汚濁水Ｗを供給する汚濁水源であり、この実施例では淡水魚を飼育するための水槽である。水槽５は、この実施の形態では、淡水魚の飼育用水槽であるが、養殖漁業に用いる更に大きな水槽、或は、輸送用水槽等である。従って、水槽５内には、懸濁物及び溶解している界面活性物質が含有されている。そして、水槽５内の淡水生物飼育水の浄化を行わないで使用しているとこれらの汚濁物質の濃度が増加し、飼育している生物に病気が発生する等悪影響を与えるのみならず、水を腐らせて飼育している生物を死亡に至らしめることとなる。
【００２０】
汚濁水槽２は、図１に表すように、内部に汚濁水Ｗを蓄水可能な槽部２１が円筒型に形成され、槽部２１の下部側面に給排水装置から汚濁水Ｗが供給される供給口２２が設けられる。更に、槽部２１内には、槽部２１内を仕切る仕切壁２１ａが底面２１ｂから立設され、供給口２２が設けられる浄化室２１ｃとは別に、排水室２１ｄが形成される。従って、浄化室２１ｃと排水室２１ｄとは、仕切壁２１ａの上端で連通している状態となる。そして、排水室２１ｄが設けられた槽部２１の側面下部には、排水室２１ｄから排水する排水口２３が設けられる。更に、汚濁水槽２の上部には、汚濁水槽２内で発生され汚濁物質が付着した気泡を集合させる集泡部２４が形成され、更に、集泡部２４の上部には、汚濁水槽２上部の汚濁水Ｗを汚濁水槽２外へ排出させる排出部２５が設けられる。集泡部２４は、上端に排出部２５が開口する逆漏斗状からなり、汚濁水槽２内を上昇した気泡Ｂを集泡可能であり、気泡Ｂが含まれる汚濁水Ｗを排出部２５から排出可能である。仕切壁２１ａは、上端が水面から１／４程度の高さとなるように設けるが、汚濁物質濃度が高い水面付近、或は、気泡Ｂが十分に汚濁物質を付着していなく汚濁物質濃度が高い下方でなければ、適宜高さまで設けることで足りる。
【００２１】
微細気泡発生器３は、中空な円筒管３１の一端を汚濁水槽２内の下部に、他端を汚濁水槽外へ位置させ、更に、汚濁水槽２内側の端部には微細気泡Ｂを発生させる気泡発生部３２が取り付けられ、更に、円筒管３１の中間部には、水槽内に強制的に外気を供給するモータ３３が設けられる。気泡発生部３２には、微細気泡Ｂを発生可能に極小径な孔３４が複数空けられている。このように形成する微細気泡発生器３は、加圧式気泡発生器であり、外気を加圧して強制的に槽内に送り込み気泡Ｂを発生させている。
【００２２】
尚、この実施の形態で使用される汚濁水Ｗは海水のような塩分濃度の濃くない淡水なので、汚濁水中に比較的径小な微細気泡である気泡Ｂを発生しにくいと共に、発生された気泡Ｂが比較的早期に上昇し破裂してしまう。そこで、微細気泡発生器３で発生する気泡Ｂは、発生後も付着した汚濁物質を汚濁水槽２上部に集合しやすい微少な径からなり、詳細には、発生される気泡Ｂ中に直径０．５ｍｍ以下の気泡Ｂを多く含む微細気泡発生器３であることが望ましいが、直径２ｍｍより小径な気泡Ｂであれば汚濁物質を付着して上昇し、且つ、上昇後も破裂することなく集泡部２４に位置する集合された微細気泡Ｂを含む汚濁水Ｗの含有汚濁物質濃度を汚濁水槽２下部に比し濃くすることが可能なので、直径２ｍｍ以下の気泡Ｂを発生可能であれば微細気泡発生器３として機能する。そして、より小径な微細気泡が含まれる気泡Ｂを発生させる微細気泡発生器３を用いることで、更に効率よく浄化させることができる。尚、気泡Ｂの径が大きいと、上昇後破裂してしまい、付着していた汚濁物質が再び汚濁水中に溶融して、汚濁水Ｗの集泡部２４位置に汚濁物質を効率よく集めることが困難である。
【００２３】
微細気泡発生器３は、図２に表すように、加圧式ではなく、気泡発生部３２を汚濁水中で回転させることで、気泡発生部３２周囲に負圧を発生させて外気を導入する負圧式であって攪拌機構を備えてもよく、微細気泡Ｂを発生可能であれば、どのように形成されてもよい。以下に、図２に表す微細気泡発生器３を説明する。
微細気泡発生器３は、図２に表すように、中空な円筒形からなる管３１の下部に攪拌するための翼３５が取り付けられ、更に、翼３５が取り付けられる管３１の端部側面には気泡を発生させる孔３４が穿設される。管３１の上端にはモータ３３が取り付けられ、モータ３３で管３１を回転可能であり、管３１が回転されることで、先端に取り付けられた翼３２が回転する。このように構成される微細気泡発生器３は、モータ３３が槽部２１の外部に位置し、先端の翼３５が槽部２１の下部に位置するように取り付けられ、回転することで槽部２１内に蓄水される汚濁水Ｗを翼３５が攪拌可能である。その際、翼３５が汚濁水Ｗ内で回転することで、翼３５付近で負圧が生じ、管３１内を伝って供給される空気が孔３４から排出され気泡Ｂとなって汚濁水Ｗ中で翼３５により攪拌されて供給される。そして、実験によれば、微細気泡発生器３をこのように形成すると、加圧式の微細気泡発生器３では、発生された気泡Ｂの上昇が速いのに比し、微細気泡Ｂが汚濁水槽２内の広範囲に拡散され上昇が遅れ、微細気泡Ｂが汚濁水Ｗ中の汚濁物質を効率よく付着した。
【００２４】
給排水装置４は、汚濁水Ｗを水槽５から汲み上げ汚濁水槽２へ供給する揚水部４１、及び、浄化された汚濁水Ｗを汚濁水槽２から水槽５へ戻す排水部４２とからなる。そして、給排水装置４は、揚水部４１から汚濁水槽２へ供給する水量が排水部４２から水槽５へ排水する水量と汚濁水槽２上部の排出部２５から排出する量となるように給排水する。揚水部４１は、いわゆる揚水ポンプからなり、先端が水槽５内に設置される送水管４３と、先端が汚濁水槽２の供給孔２２へ設置される送水管４４とが接続され、水槽５内の汚濁水Ｗを汚濁水槽２へ汲み上げる。排水部４２は、流量の制御が可能ないわゆる電磁バルブからなり、先端が水槽５内に設置される送水管４５と、先端が汚濁水槽２の排水口２３に設置される送水管４６とが接続され、汚濁水槽２内の浄化された汚濁水Ｗを水槽５へ返送可能である。そして、排水部４２である電磁バルブは、集泡部２４上部の排出部２５から排出する水量を自動的に制御する制御装置（図示せず）と接続して、水槽５への排水量を自動制御するよう形成してもよい。
【００２５】
排出部２５は、この実施の形態では、排出管２６から形成し、排出管２６の基端部を集泡部２４上部に接続し、先端部が排水枡６へ開口し、集泡部２４から溢れ出た汚濁物質を含んだ微細気泡Ｂ及び汚濁水Ｗを排出可能である。
【００２６】
次いで、上述のように形成する第１の実施の形態の作用を説明する。尚、汚濁水槽２内には汚濁水Ｗが既に蓄水されている。
微細気泡発生器３のモータ３４が回転すると管３１を経由して外気が気泡発生部３２へ供給される。すると、気泡発生部３２から微細気泡Ｂが発生し、汚濁水槽２内に供給される。発生した微細気泡Ｂは、汚濁水Ｗ中に浮遊する或は汚濁水Ｗ中に溶解した汚濁物質を付着させて上昇する。そして、汚濁水Ｗが淡水であるために比較的径の大きい気泡Ｂは上昇後破裂して消滅する。しかしながら、径の比較的小さな微細気泡Ｂは汚濁物質を付着したまま汚濁水Ｗ水面に少なからず破裂せずに存在し、又、破裂した場合には、気泡Ｂに付着していた汚濁物質は他の浮遊している気泡Ｂに付着するか或は浮遊している気泡Ｂ間の水中を浮遊するので、汚濁水槽２内では汚濁物質の濃度は下部より上部の方が濃くなる現象を生ずる。
【００２７】
一方、給排水装置４の揚水部４１からは汚濁水槽２内へ水槽５内の汚濁水Ｗが供給されると共に、排水部４２から汚濁水槽２内の汚濁水Ｗが水槽５内へ排水返還されるが、汚濁水槽２内へ供給される汚濁水Ｗが水槽５へ排水返還される水量より多いので、汚濁水槽２内の汚濁水Ｗは汚濁水槽２上部から溢れ排出部２５から排出される。そして、排出部２５から排出された汚濁水は、汚濁水槽２上部の汚濁物質の濃度の高い汚濁水となるので、相対的に汚濁水槽２下部の汚濁物質濃度は低く、汚濁水槽２内の汚濁水Ｗは浄化され、排水部４２からは送水管４５，４６を経由して浄化された汚濁水Ｗが再び水槽５へ排水返還される。
【００２８】
次いで、図２に表す微細気泡発生器３による場合を説明する。
図２に表す微細気泡発生器３では、モータ３３が回転すると管３１が回転される。すると、管３１の汚濁水Ｗ内の先端に固定された翼３５が回転して翼３５の回転に伴い翼３５周囲の汚濁水Ｗに負圧が生じる。翼３５部分で負圧が生じるので、管３１内にある空気が穿設された孔３４から微細気泡Ｂとなって汚濁水Ｗ内に発生し、翼３５により攪拌されて汚濁水Ｗ内に拡散する。拡散した微細気泡Ｂは、汚濁水Ｗ中の汚濁物を付着させながら浮上する。
【００２９】
一方、汚濁水は、給水口２２から給水され、排水口２３から排水されると共に排出部２５から排出される。そして、給水された汚濁水Ｗの流れは、発生した気泡Ｂによって汚濁物質を付着されながら浄化室２１ｃ内を上昇し、一部は気泡Ｂと共に上部の排出部２５から排出され、一部は排水室２１ｄの排水口２３から排水されることとなる。排出部２５から排出される汚濁水Ｗ及び気泡Ｂは汚濁物質濃度が高く、排水口２３から排水される汚濁水Ｗは気泡Ｂによって汚濁物質を除去された浄化後の汚濁水Ｗとなって排水され、再び水槽５へ戻される。
そして、微細気泡発生器３では微細気泡Ｂを発生すると共に翼３５を回転させて微細気泡Ｂを攪拌することで、微細気泡Ｂを汚濁水槽２内に広く拡散されることができ、浄化効率を上げることができる。
【００３０】
上述のように汚濁水Ｗの汚濁物質は、浮遊する微細気泡Ｂに付着されて上昇し、汚濁水槽２内には、常に水槽５から汚濁水Ｗが供給されるので、汚濁水槽２上部に集まった汚濁物質濃度の高い微細気泡Ｂ及び汚濁水Ｗを常に排出して、汚濁水槽２内の汚濁水Ｗは浄化されることとなる。そして、汚濁水Ｗが水槽５から浄化装置１へ供給され、再び水槽５へ戻される循環を繰り返すので、水槽５内の水は常に浄化されることとなる。
【００３１】
又、排出部２５は、図３に表すように、集泡部２４の上端と接続することなく、排出部２５へオーバーフローするように構成してもよい。即ち、図３に表す排出部２５は、管２６の基端部を集泡部２４内に上方に向けて開口し、他端は、汚濁水槽２内を経由して汚濁水槽２外へ位置される。そして、水槽５内の汚濁水が給排水装置４によって汚濁水槽２へ供給された結果、汚濁物質濃度の高い汚濁水Ｗが集泡部２４の上部から排出管２６へオーバーフローして入り込み、排出管２６の他端から排出されることとなる。更に又、図４の排出部２５に表すように、排出部２５に強制排出させるためのポンプを設け、汚濁水槽２内の水面付近の汚濁水Ｗを集泡部２４から強制排出するよう構成してもよい。
【００３２】
次いで、浄化装置１を小型化して、水槽、池、養殖水域等開放された水域内に設置する第２の実施の形態を、図４に基づき説明する。尚、第２の実施の形態では、開放水域を水槽５として説明するが、養殖用の池等他の開放水域でも実施可能である。
第２の実施の形態では、図４に表すように、浄化装置１は水槽５内に設置される。水槽５には、予め底面に簀の子状の底板５１が敷かれ、且つ、底板５１上には細かい砂利等の濾過材５２が施されている。
【００３３】
浄化装置１は、汚濁水槽２の微細気泡発生器３が設置される浄化室２１ｃは、下面２１ｂが開放されており、排水室２１ｄの下面２１ｂは閉塞されてなる。又、一端が集泡部２４上部に設ける排出部２５と接続された排出管２６の途中には、汚濁水を排出するためのポンプ２７が設けられ、排出管２６の他端は水槽５外に汚濁水を排出可能に位置されてなる。そして、第２の実施の形態の浄化装置１は、水槽５内に設置可能にコンパクトに設計され、浄化装置１全体を水槽５の濾過材５２上に設置して使用可能である。
【００３４】
微細気泡発生器３は、図２に表す負圧式のものを用い、コンパクトに設計されている。
第２の実施の形態では、浄化装置１が水槽５内に常設して用いるものなので、給排水装置４は特に設けず、微細気泡発生器３の発生する気泡Ｂによって発生する槽部２１内での下から上への流れを利用し、浄化室２１ｃの下面２１ｂから自然に給水され、気泡Ｂによる流量より少ない量の汚濁水Ｗを排出管２６から排出することで排水室２１ｄの排水口２３から自然に水槽５内へ排水される。
【００３５】
次いで、この発明を、池或は飼育用の大水槽等開放された水域に適用する第３の実施の形態を図５に基づき説明する。
この実施の形態では、図５に表すように集泡部２４は汚濁水槽２内に設置される。この実施の形態の汚濁水槽２は、開放水域である池或は飼育用の大水槽等である。そして、集泡部２４下部には、微細気泡発生器３の気泡発生部３２が位置される。そして、排出部２５は、排出管２６の中間部にポンプ２７を設けて排水するように形成し、排出管２６の基端部を集泡部２４内上部に設置する。そして、微細気泡発生器３によって、微細気泡Ｂを発生し、集泡部２４内に微細気泡Ｂを集泡する。勿論、この実施の形態では、一部の微細気泡Ｂは集泡部２４外へ出てしまう場合があるが、発生した微細気泡Ｂの多くが集泡部２４内に集合されれば特に問題なく実施可能である。そして、集泡部２４内に集合した汚濁物質濃度の高い汚濁水Ｗ及び微細気泡Ｂをポンプ２７によって汚濁水槽２外へ排出する。このように形成することで、特定の汚濁水槽２ではなく、既存の汚濁水槽２でも実施可能となるばかりか、汚濁水槽２を設けずに、直接水槽５内に実施することが可能となる。
【００３６】
この実施の形態で実施したポンプ２７を設けた排出部２５は、第１の実施の形態に実施してもよく、汚濁物質濃度の高い汚濁水Ｗ及び微細気泡Ｂを汚濁水槽２より高い位置へ排出することができる。
【００３７】
【発明の効果】
上述のように、この発明によれば、気泡が発生しにくい汚濁水の場合でも、微細気泡Ｂによって汚濁水中に浮遊する或は溶解している汚濁物質が、汚濁水上部へ移動されて汚濁水上部の汚濁物質濃度を高くでき、濃度の高くなった汚濁水及び汚濁物質の付着した微細気泡を排出することで、汚濁水を浄化できる。更に、フィルター等の汚濁物質除去材を要さない。
【図面の簡単な説明】
【図１】第１の実施の形態を表す説明図
【図２】他の微細気泡発生器の説明図
【図３】他の排出部の説明図
【図４】第２の実施の形態を表す説明図
【図５】第３の実施の形態を表す説明図
【図６】従来例図
【符号の説明】
Ｗ      汚濁水
Ｂ      気泡
１      淡水生物飼育水浄化装置
２      汚濁水槽
２１  槽部
２１ａ  仕切壁
２１ｂ  底面
２１ｃ  浄化室
２１ｄ  排水室
２２  供給口
２３  排水口
２４  集泡部
２５  排出部
２６  排出管
２７  ポンプ
３      微細気泡発生器
３１  円筒管
３２  気泡発生部
３３  モータ
３４  孔
３５  翼
４      給排水装置
４１  揚水部
４２  排水部
４３  送水管
４４  送水管
４５  送水管
４６  送水管
５      水槽
６      排水枡
【図１】
0003561212.tif 000002
【図２】
0003561212.tif 000003
【図３】
0003561212.tif 000004
【図４】
0003561212.tif 000005
【図５】
0003561212.tif 000006
【図６】
0003561212.tif 000007